(57)【要約】【課題】複数種類の画像データを記録媒体に対して記録、再生する機能を備えた記録再生装置において、サムネイル画像等の検索情報の表示画面上でサムネイル画像の検索性を向上させること。【解決手段】サムネイル画像等の検索情報の表示の際、静止画像のみの検索情報の表示、あるいは動画像のみの検索情報の表示を行えるように構成する。静止画と動画の区別は、記録媒体中の記録データの管理情報から、記録データの種類情報を得ることで判別する。【選択図】  図１
2004206774.tif 000002
【特許請求の範囲】
【請求項１】
複数種類の記録データを記録媒体に対して記録、再生する記録再生装置において、
前記記録データの種類を判別するための記録データ判別部と、前記記録データの情報を一覧表示するための一覧データを生成する一覧表示データ生成部とを設け、
所定の操作により任意の種類の記録データの情報の一覧表示を選択した際に、前記記録データ判別部で前記任意の種類の記録データを判別し、前記一覧表示データ生成部により任意の種類のみの情報の一覧データを生成することを特徴とする記録再生装置。
【請求項２】
請求項１に記載の記録再生装置において、前記記録媒体に記録されている画像データ及びまたは管理情報等の各種情報を再生処理するための再生処理部と、前記再生処理部から得た管理情報を読み込み、画像データの種類を判別するための管理情報処理部と、前記再生処理部から再生された画像データ及び前記管理情報処理部において管理情報より得た画像データの種類情報によりサムネイル画像一覧表示用のデータを抽出及びまたは作成しサムネイル画像一覧表示用画面データを生成するサムネイル画面データ生成部とを設け、
所定の操作により任意の種類の画像データのサムネイル画像一覧表示画面の生成を選択した際に、前記管理情報処理部で画像データの管理情報から画像データの種類を判別し、前記サムネイル画面データ生成部により前記管理情報判別部より得た選択された種類の画像データのサムネイル画像一覧表示画面データを生成することを特徴とする記録再生装置。
【請求項３】
請求項２に記載の記録再生装置において、画像データの種類としては静止画像及びまたは動画像を含むことを特徴とする記録再生装置。
【請求項４】
請求項１乃至３に記載の記録再生装置において、前記記録媒体には光ディスクを含むことを特徴とする光ディスク記録再生装置。
【請求項５】
請求項１乃至４に記載の記録再生装置において、撮像素子と、前記撮像素子からの映像信号をデジタル化及び符号化して画像データを生成する映像信号処理部と、前記映像信号処理部からの画像データを前記記録媒体に記録するための記録処理部と、前記サムネイル画面データ生成部からのサムネイル画面データをアナログの映像信号へ変換するとともに各種の信号処理するための映像信号データ処理部と、前記映像信号データ処理部からの映像信号を表示するための表示部を設けたことを特徴とするビデオカメラ。
【発明の詳細な説明】
【０００１】
【発明の属する技術分野】
本発明は、動画像、静止画像などの複数種類の画像データを記録媒体に記録再生する機能を備えた記録再生装置に係り、特に、再生時における記録媒体中の画像データのサムネイル画像表示に関する技術である。
【０００２】
【従来の技術】
近年、光ディスク、カード型記録媒体などの記録媒体に、動画像、静止画像などの複数種類の画像データを混在して記録再生する記録再生装置が各メーカより発表されている。一つの記録媒体中に動画像、静止画像などの様々な画像データを混在して記録再生できるため、優れた利便性を有する。
【０００３】
このように一つの記録媒体に動画像、静止画像などの複数種類の画像データを混在して記録再生できる記録再生装置の場合、再生時において、記録した動画像や静止画像を示す縮小画像であるサムネイル画像を表示画面に複数並べて表示させることが出来る。動画像や静止画像を混在して記録した場合には、当然、複数種類の画像データのサムネイル画像も混在して表示され、１つ１つのサムネイル画像は小さいので、選択したサムネイル画像の画像データが動画像か静止画像かの区別が付き辛く、再生したい画像データを検索するのが困難になり、ユーザの使い勝手が悪くなる場合があった。
【０００４】
この問題を解決するため、従来技術では、このサムネイル画像表示画面において、表示されているサムネイル画像の画像データが動画像なのか静止画像なのか区別できるようにサムネイル画像上に種類毎に違うアイコン等を表示している。
【０００５】
また、他の従来技術では、動画像の画像データに関しては、複数コマ分の代表画像をサムネイル画像とし、一つのかたまりとして表示することで、サムネイル画像表示画面において画像データの種類の区別をつけやすくし、再生モード時におけるユーザの操作性を向上させている（例えば、特許文献１参照）。
【０００６】
【特許文献１】
特開２０００−１３８８８３公報
【０００７】
【発明が解決しようとする課題】
一つの記録媒体に対し、動画像、静止画像等の複数種類の画像データを混在して記録再生する機能を備えた記録再生装置において、編集またはコピー等の処理時に動画像だけ、または静止画像だけを処理する場合があり、サムネイル画像表示画面上で動画像、静止画像の区別がつきにくいことは利便性が悪くなるので、種類の区別が容易にできることが重要となる。
【０００８】
例えば、静止画像に対してプリント枚数の設定を行うＤＰＯＦ（Ｄｉｇｉｔａｌ  Ｐｒｉｎｔ  Ｏｒｄｅｒ  Ｆｏｒｍａｔ）設定などの機能を実行する場合、ユーザが静止画像の画像を直接検索し指定する必要があるため、この画像データの種類をユーザにわかりやすく表示し、素早い検索をすることができるようにすることは非常に重要になる。
【０００９】
しかしながら、上記特許文献１記載の従来技術では、画像データの種類の違いを、サムネイル画像の表示の違いにより画像データの種類を区別できるようにし、検索性を向上しているが、大量の画像データが記録されている場合や一画面にサムネイル画像が大量に表示される場合には、特定種類の画像データの検索には手間がかかり、検索性が悪くなる。
【００１０】
すなわち、上記ＤＰＯＦ設定時、大量の画像データがある場合には１画面内に表示できる静止画のサムネイル画像の数は制限され、必要な静止画像を設定するには、次の（別の）サムネイル画像表示画面を表示されるという操作をする必要が生ずるという問題がある。また、サムネイル画像を大量に表示する場合には一つのサムネイル画像の表示領域が小さくなり、静止画像と判別しにくくなる。
【００１１】
本発明の目的は、複数種類の画像データを記録媒体に対して記録、再生する機能を備えた記録再生装置において、サムネイル画像等の検索情報の表示画面上でサムネイル画像の検索性を向上させることにある。
【００１２】
【課題を解決するための手段】
上記課題を解決するために、本発明では、サムネイル画像等の検索情報の表示の際、静止画像のみの検索情報の表示、あるいは動画像のみの検索情報の表示を行えるように構成する。
【００１３】
より詳細には、動画像及びまたは静止画像等の複数種類の画像データ及びまたは管理情報等とを記録媒体に記録再生する記録再生装置において、前記記録媒体に記録されている複数種類の画像データ及びまたは管理情報等の各種情報を再生処理するための再生処理部と、前記再生処理部から得た管理情報を読み込み、画像データの種類を判別するための管理情報処理部と、前記再生処理部から再生された画像データ及び前記管理情報処理部において管理情報より得た画像データの種類情報によりサムネイル画像一覧表示用のデータを抽出及びまたは作成しサムネイル画像一覧表示用画面データを生成するサムネイル画面データ生成部とを設け、所定の操作により任意の種類の画像データのサムネイル画像一覧表示画面の生成を選択した際に、前記管理情報処理部で画像データの管理情報から画像データの種類を判別し、前記サムネイル画面データ生成部により前記管理情報処理部より得た選択された種類の画像データのサムネイル画像一覧表示画面用データを生成することを特徴とする。
【００１４】
【発明の実施の形態】
以下、本発明を適用した実施例として、記録媒体として光ディスクを使用し、動画像と静止画像を記録媒体に記録再生する機能を備えた光ディスク記録再生カメラの実施例を図１から図６を使用して説明する。本実施例では、光ディスク型記録媒体としてリライタブル型光ディスクとしてＤＶＤ−ＲＡＭを、ライトワンス型の光ディスクとしてＤＶＤ-Ｒの両方に対応し、また、再生専用光ディスクであるＤＶＤビデオの再生にも対応する光ディスク記録再生カメラ（以下カメラと称す）を前提としている。また、本実施例では、動画像あるいは静止画像の検索情報の代表的な例としてサムネイル画像データを利用した例を示す。記録媒体に記録されている画像データのサムネイル画像の表示及び各種情報を表示する画面をナビ画面と称している。再生モード時の代表画面であるナビ画面を画像データの種類毎に表示可能にすることにより、複数種類の画像データが混在している記録媒体の場合にも、画像データの種類の区別が容易に行え、特定種類の画像データに関する設定や再生や編集が容易に行えるようになる。
【００１５】
図１は、本発明による光ディスク記録再生カメラでの構成図の一実施例である。
図１において、映像信号処理部２は、撮像素子１からの映像信号をデジタル信号に変換するとともに各種の信号処理をする。デジタル映像圧縮部３は、映像信号処理回路２で処理されたデジタル映像信号の圧縮データを生成する。記録処理部４は、圧縮データ及び各種のデータを着脱自在な外部記録媒体である光ディスク型記録媒体（以下光ディスクと称す）７に記録する光ディスクドライブである。外部記録媒体の記録、再生および各種入力操作は、釦等で構成される入力部５を操作することにより行う。制御部６は、CPUであり、特に矢印線で図示していないが、本カメラを構成する各ブロックの制御を行う。再生処理部８は、光ディスク７の画像データ及びまたは各種認識情報及びまたは管理情報等を再生するドライブであり、記録処理部４と別体であっても一体であってもよい。
【００１６】
管理情報処理部９は、制御部６内に組み込まれており、再生処理部８で得た光ディスク７内の管理情報から画像データの種類を判別する。サムネイル画面データ生成部１０は、再生処理部８で得た光ディスク７内の画像データまたは各種認識情報及び管理情報処理部９で管理情報の内容から得た画像データの種類情報を元にサムネイル画像のデータを抽出及びサムネイル画像表示用のデータを作成する。
【００１７】
デジタル映像伸長部１１は、光ディスク７に記録されている圧縮された画像データを伸長する。映像信号データ処理部１２は、デジタル映像伸長部１１からの伸長データ及びまたはサムネイル画面データ生成部１０からのデータをアナログ変換するとともに各種の信号処理をしてナビ画面を生成する。表示部１３は、アナログ変換された信号を画面表示するためのである。ここで、表示部１３は、本カメラではなく外部の表示装置でも構わない。
【００１８】
なお、映像信号処理部２、デジタル映像圧縮部３、サムネイル画面データ生成部１０、デジタル映像伸長部１１及び映像信号データ処理部１２は、回路を用いてハードウエア的にそれぞれの処理を行わせる構成であってもよいし、制御部６内にプログラムとして組み込み、ソフトウエア的に処理を行わせる構成であってもよい。
【００１９】
ここで、本実施例において、ユーザがナビ画面において静止画のみの表示を選択した際に、静止画のみのナビ画面が表示されるまでの流れの概要を説明する。
【００２０】
まず、外部記録媒体として光ディスク７が装着されている状態で、入力部５により、ナビ画面表示処理が指示されると、制御部６の制御により、再生処理部８を経由して光ディスク７の各種認識情報中にサムネイル画像のデータがある場合はサムネイル画面データ生成部１０により読み込んだサムネイル画像データを元に、静止画か動画かを識別する情報等の各種情報を加えてサムネイル画像表示用のサムネイル画面データを生成する。
【００２１】
各種認識情報中にサムネイル画像のデータがない場合には、記録されている画像データを再生し、サムネイル画面データ生成部１０により画像データ毎の先頭の画像を抽出する動作を所定の回数繰返すことで、サムネイル画像表示用のサムネイル画面データを生成する。この後、作成されたサムネイル画面データは、映像信号データ処理部１２によりアナログ変換されるとともにサムネイル画像と共に静止画か動画かを識別する情報等の各種情報を加えて、表示部１３には図３に示すような全画像データのナビ画面、つまり、動画像のサムネイル画像と静止画像のサムネイル画像が混在している状態のナビ画面が表示される。各種認識情報中には、サムネイル画像そのもののデータがなくても、動画か静止画かの識別する情報は含まれているため、上記各種情報を付加することは可能である。
【００２２】
そして、ユーザが入力部５の操作により、図４に示すようなメニューから静止画のみのナビ画面表示を実行すると、再生処理部８を経由して光ディスク７の管理情報を読み込み、管理情報処理部９において管理情報において画像データの種類が静止画となっているものを判別し、その結果に基づき、サムネイル画面データ生成部１０によりサムネイル画像一覧表示用のサムネイル画面データを生成することで、図５に示すような静止画のみのナビ画面が表示される。このとき、静止画のみのナビ画面であることを示すため、視認性に優れたアイコン及び文字等を表示する。尚、この後、入力部５のカーソル釦や再生釦などの各種釦の操作することで、現在選択している種類の画像データに関して、表示されている希望のサムネイル画像を指定することにより映像の再生や様々な設定ができる。なお、図３〜５の詳しい説明は後述する。
【００２３】
次に、図２を利用して記録データの種類の選択からナビ画面表示までの処理の流れについて説明する。ステップ２０１において動画像のサムネイル画像と静止画像のサムネイル画像が混在しているナビ画面が表示されているときに、ユーザが入力部５の操作により、動画像または静止画像の表示分類を選択すると、ステップ２０２において、動画と静止画のどちらの表示をするのかを選択するための表示分類を実行したのかを制御部６が判別する。ステップ２０２で動画像と判別した場合には、ステップ２０３で、制御部６は、光ディスク７内に記録されている画像データの管理情報より、画像データの種類が動画像となっている画像データを検索する。
【００２４】
検索終了後にステップ２０４で、その動画像データに関して、動画像データ先頭の画像を抽出したサムネイル画像または各種認識情報中のサムネイル画像データからの抽出したサムネイル画像により、ナビ画面表示時にサムネイル画像と同時に表示する動画像アイコンなどを含むサムネイル画面用データをサムネイル画面データ生成部９で作成する。そして、ステップ２０５で動画像のみ表示していることを示す動画像アイコンと動画像のみのサムネイル画像一覧表示画面が、表示部１３に、後述する図６に示す形式で表示される。
【００２５】
ステップ２０２で静止画像と判別された時には、ステップ２０６で光ディスク７内に記録されている画像データの管理情報より、画像データの種類が静止画像となっている画像データを制御部６が検索する。検索終了後にステップ２０７で、その静止画像データに関して、静止画像データの画像を縮小したサムネイル画像または各種認識情報中のサムネイル画像データからの抽出したサムネイル画像により、ナビ画面表示時にサムネイル画像と同時に表示する静止画像アイコンなどを含むサムネイル画面用データをサムネイル画面データ生成部９で作成する。ステップ２０８では、静止画像のみ表示していることを示す静止画像アイコンと静止画像のみのサムネイル画像一覧表示画面が、後述する図５に示す形式で表示される。
【００２６】
次に、本発明における画像データの種類により表示されるナビ画面の一実施例について図３〜図６を使用して説明する。
図３は、画像データの種類が混在している時に図２のステップ２０１で表示されるナビ画面を示す。図３において、３１はナビ画面全体、３２は現在の表示内容の表示、３３はサムネイル画像（本図ではＡからＬまでの１２個ある）、３４は選択しているサムネイル画像を示すカーソル位置表示、３５は選択している記録媒体の種類を示すマーク、３６は静止画像を示すアイコンである。このとき、画像データが動画と静止画が混在しており、画像データの種類は静止画像アイコン３６で区別することになり、このナビ画面での画像データの種類を瞬時に判別することは難しくなり、画像データの種類の検索にも手間がかかる。
【００２７】
図４は、動画像または静止画像のみのナビ画面表示をユーザが実行する際に表示されるメニュー画面を示す。ユーザは入力部５を用いてメニュー４１を表示させ、動画または静止画を選択することで動画像または静止画像の表示分類を行う。
【００２８】
図５は、画像データの種類として静止画像のみのナビ画面表示を実行した場合にステップ２０８で表示されるナビ画面を示す。現在の表示内容５１に静止画像のナビ表示画面を示すアイコンの５２が表示される。また、サムネイル画像も記録媒体中に記録されている静止画像のみのサムネイル画像が表示される。
【００２９】
本実施例では、各サムネイル画像に静止画像アイコン３６が表示されているが、表示内容５２または静止画像ナビ表示アイコン５２で静止画像のサムネイル画像一覧とわかるので、静止画像アイコン３６を表示しないようにしてもかまわない。
【００３０】
図６は、画像データの種類として動画像のみのナビ画面表示を実行した場合にステップ２０５で表示されるナビ画面を示す。現在の表示内容６１に動画像のナビ表示画面を示すアイコンの６２が表示される。また、サムネイル画像も記録媒体中に記録されている動画像のみのサムネイル画像が表示される。
【００３１】
図３から図６よりわかるように、画像データの種類毎にナビ画面を表示することで、動画像または静止画像のみの再生や設定や編集等を実行するときなどに、それぞれの種類のファイルを検索する必要がなくなり、それぞれの操作性が大きく向上することがわかる。
【００３２】
これにより、複数種類の記録データが混在して記録されている記録媒体において、ユーザの指定した特定種類の記録データのみのサムネイル画像表示画の表示が可能になるため、記録データの種類を混在してサムネイル画像表示画面で表示している場合と比べて、画像データの検索性や再生モード時の操作性が向上される。
【００３３】
本実施例では、動画像と静止画像が混在しているナビ画面から動画像と静止画像のどちらの表示をするのかを選択するための表示分類を実行したが、もちろん、動画像と静止画像が混在しているナビ画面の表示を経由せずに、動画像のみのナビ画面及び静止画像のみのナビ画面を表示しても構わない。
【００３４】
本実施例では、動画像と静止画像に関してナビ画面の表示分類を行ったが、もちろん、その他の種類の画像データに関しても表示分類を行っても構わない。
【００３５】
本実施例では、動画のみのナビ画面表示と静止画のみのナビ画面表示の違いをアイコンで示したが、もちろん文字情報や色を加えて違いを表示しても構わない。
【００３６】
本実施例では、記録媒体として、光ディスクを用いて説明したが、もちろん、ハードディスクやカード型記録媒体、テープなどを用いても構わない。
【００３７】
本実施例では、光ディスクとしてＤＶＤ−ＲＡＭ、ＤＶＤ−Ｒ及びＤＶＤビデオで説明したが、これに限るものではなく、例えばＤＶＤ−ＲＷ、ＣＤ−Ｒ、ＣＤ-ＲＷなどの他の種類の光ディスクでも構わない。
【００３８】
本実施例では画像データをサムネイル画像表示する場合で説明したが、データは画像データに限ったものでなくともよく、さらに表示形式は、サムネイル画像の表示でなくても構わない。例えば、画像データを日時等の他の情報を用いて一覧表示するようにしてもよい。さらに、画像データ以外のデータをデータ方式毎に文字情報等で一覧表示するようにしてもよい。
【００３９】
【発明の効果】
本発明によれば、複数種類の画像データを記録媒体に対して記録、再生する機能を備えた記録再生装置において、サムネイル画像に代表される検索情報の表示画面上で検索情報の検索性を向上させることができる。
【図面の簡単な説明】
【図１】光ディスク記録再生カメラでの一実施例を示す構成図
【図２】記録媒体の種類の判別とナビ画面表示までの流れを示した一実施例のフローチャート
【図３】静止画像データと動画像データの混在時に表示されるナビ画面の一実施例
【図４】表示分類の選択を行う際に表示されるメニューの一実施例
【図５】動画像のみ表示を選択した時に表示されるナビ画面の一実施例
【図６】静止画像のみ表示を選択した時に表示されるナビ画面の一実施例
【符号の説明】
１…撮像素子、２…映像信号処理部、３…デジタル映像圧縮部、４…記録処理部、５…入力部、６…制御部、７…光ディスク型記録媒体、８…再生処理部、９…サムネイル画面データ生成部、１０…デジタル映像伸長部、１１…映像信号データ処理部、１２…映像信号データ処理部、１３…表示部。
【図１】
2004206774.tif 000003
【図２】
2004206774.tif 000004
【図３】
2004206774.tif 000005
【図４】
2004206774.tif 000006
【図５】
2004206774.tif 000007
【図６】
2004206774.tif 000008